(57)【要約】【課題】  照明装置によって暗い場所でも収納部内の状況を把握できるようにした携帯型の収納具を提供する事を目的とする。【解決手段】  プラスチック等の可撓性の基板上にエレクトロルミネッセンス発光素子（ＥＬ発光素子）を有してなる面状の照明装置１を、収納部１１，１２の内側に設ける。このように照明装置１の基板に可撓性基板を用いることで、照明装置１の薄型・軽量化が可能になるとともに、耐衝撃性も高まる。また、照明装置１を面状に構成すると収納部内において死角が生じにくくなり、又、照明装置１をＥＬ発光素子で構成することで低消費電力化が可能となる。【選択図】    図１
2005095309.tif 000002
【特許請求の範囲】
【請求項１】
可撓性の基板上にエレクトロルミネッセンス発光素子を有してなる面状の照明装置が収納部の内側に設けられたことを特徴とする、携帯型収納具。
【請求項２】
上記収納部が折り畳み可能に構成され、
上記照明装置がこの折り畳み部を挟んで複数設けられるととともに、これらの照明装置が上記折り畳み部に設けられた可撓性の配線を介して互いに電気的に接続されたことを特徴とする、請求項１記載の携帯型収納具。
【請求項３】
上記収納部に仕切り部が設けられ、
上記照明装置が基板の両面側から光を出射可能に構成されるとともに、この照明装置が上記仕切り部に設けられたことを特徴とする、請求項１記載の携帯型収納具。
【請求項４】
上記収納部の表地と裏地との間に、上記照明装置に電力を供給するための電源及び配線が配置されたことを特徴とする、請求項１〜３のいずれかの項に記載の携帯型収納具。
【発明の詳細な説明】
【技術分野】
【０００１】
本発明は、財布やハンドバッグ等の袋状の収納部を有する携帯型の収納具に関するものである。
【背景技術】
【０００２】
財布やハンドバッグ等の袋状の収納部を有する収納具では、収納部の内部に影が生じやすく、収納物の状況が視認しづらい。特に、このような収納具を、夜間、照明のない屋外で使用する場合には、深部に隠れた収納物を把握するのは極めて困難である。
そこで、下記特許文献１では、収納部の中に照明装置を取り付けた構造のものが提案されている。この照明装置は、ガラス等の板状の収納ケースの中にフィラメント球や発光ダイオード等の光源を配置したものであり、これを例えば収納部の仕切り部に設置することで、夜間でも収納部内の状況を把握することができる。
【特許文献１】特開２００３−１８０４３８号公報
【発明の開示】
【発明が解決しようとする課題】
【０００３】
しかしながら、上記従来のものでは、収納部内にリジッドな照明装置が配置されているので、これを財布等の可撓性が要求される収納具として用いることはできない。
本発明はこのような事情に鑑みてなされたもので、照明装置自体によって収納具の柔軟性が損なわれないようにした携帯型の収納具を提供することを目的とする。
【課題を解決するための手段】
【０００４】
上記の課題を解決するため、本発明の携帯型収納具は、可撓性の基板上にエレクトロルミネッセンス発光素子（ＥＬ発光素子）を有してなる面状の照明装置が収納部の内側に設けられたことを特徴とする。
本構成では、プラスチック等の可撓性基板上にＥＬ発光素子を配置したフレキシブルな照明装置を用いているため、財布等のように可撓性の要求される収納具に対しても適用することができる。また、基板にプラスチックフィルム等を用いることで、薄型・軽量化が可能になるとともに、耐衝撃性も高まる。また、本構成では照明装置を面状に構成したため、収納部内において死角が生じにくくなり、又、この照明装置をＥＬ発光素子で構成しているので、低消費電力化が可能となる。
【０００５】
上記収納具の具体的な形態としては、上記収納部が折り畳み可能に構成され、上記照明装置がこの折り畳み部を挟んで複数設けられるととともに、これらの照明装置が上記折り畳み部に設けられた可撓性の配線を介して互いに電気的に接続されたものを用いることができる。
本構成では、折り畳み部に照明装置が掛からないように、照明装置を折り畳み部を挟んで複数設けているため、折り曲げによる照明装置の破損や劣化等を生じることなく、収納部内全体を均一に照らすことができる。
【０００６】
また、上記収納具の他の形態としては、上記収納部に仕切り部が設けられ、上記照明装置が基板の両面側から光を出射可能に構成されるとともに、この照明装置が上記仕切り部に設けられたものを用いることができる。
本構成は、仕切り部で仕切られた２つの空間を両面発光型の発光素子によって同時に照明するようにしたものである。この構成によれば、両空間に発光素子を１つずつ設ける必要がなくなり、１つの発光素子で効率的な照明が可能となる。
【０００７】
上述した本発明の収納具では、上記収納部の表地と裏地との間に、上記照明装置に電力を供給するための電源及び配線が配置することが好ましい。
このように邪魔な配線や電源等を表地の裏側に隠すことで、収納部内をすっきりさせることができる。また、これにより、配線等の破損も防止できる。
【発明を実施するための最良の形態】
【０００８】
［第１実施形態］
以下、図１〜図３を参照しながら、本発明の第1実施形態に係る携帯型収納具について説明する。図１は本発明の携帯型収納具の一例である折り畳み型の財布の展開状態を示す斜視図、図２はその札入れの内部の構成を示す図、図３は、本実施形態の財布に備えられる照明装置の構成を示す模式図である。なお、以下の全ての図面においては、図面を見やすくするため、各構成要素の膜厚や寸法の比率などは適宜異ならせてある。
【０００９】
図１に示すように、本実施形態の財布１０は、札入れ（札収納部）１１と小銭入れ（小銭収納部）１２とカード収納部１３とを備えている。このような財布１０は、小銭収納部１２とカード収納部１３との間の折り畳み部１０Ａで折り曲げられた状態で、ポケット等に入れて持ち運びされる。
【００１０】
この財布１０には、札入れ１１及び小銭入れ１２の内側に照明用の有機ＥＬパネル（照明装置）１が取り付けられている。この有機ＥＬパネル１は、図２に示すように、折り畳み部１０Ａを有する札入れ１１では、この折り畳み部１０Ａを挟んで２枚設けられている。これらのパネル１，１は、折り畳み部１０Ａに設けられた可撓性の配線１４ａによって電気的に接続され、配線１４ｂによってボタン電池等の電源１５に接続されている。これらのパネル１の取り付け方法としては、パネル１を収納部内面に接着したり縫い付けたりする他に、パネルの大きさに合わせた支持部を作り、これにパネル１を嵌め込む等の方法がある。
なお、配線１４ａ，１４ｂ及び電源１５は、かさばらないように、財布１０の表皮（表地）と裏地の間に埋め込まれている。
【００１１】
電源１５には、例えばボタン電池や薄型電池等の小型軽量の電池が用いられている。この電源１５は、小銭収納部１２等のようなかさばる物の脇に設置されている。この電源１５と有機ＥＬパネル１との間には、ＯＮ／ＯＦＦを切り換えるためのスイッチ（図示略）が設けられている。このスイッチとしは、ユーザが任意に切り換え可能なものを設置してもよいし、収納部を開くと自動的に点灯する（即ち、ＯＮになる）ような構造のものでもよい。
【００１２】
有機ＥＬパネル１は、図３に示すように、基板２の上に陽極３，機能層６，陰極７が順に積層された構造を有する。本実施形態では、順に積層された陽極，機能層，陰極７によって本発明のＥＬ発光素子が構成される。また、本実施形態では、有機ＥＬパネル１が財布１０の形状変化に追随し得るように、パネル１を構成する基板２をプラスチックフィルム等の可撓性の基板としている。この基板２は、パネル１がボトムエミッション型のものでは透明性が要求されるが、パネル１がトップエミッション型のものでは不透明なもので構わない。
【００１３】
陽極３としては、例えばパネル１がボトムエミッション型又は両面発光型のものでは、ＩＴＯ（インジウム錫酸化物）や酸化インジウム・酸化亜鉛系アモルファス透明導電膜（Indium Zinc Oxide ：ＩＺＯ（登録商標））（出光興産社製）等の透明導電材料が用いられる。また、パネル１がトップエミッション型のものには、このような透明導電材料に限らず、陽極３としてアルミニウム（Ａｌ）や銀（Ａｇ）等の光反射性或いは不透明な導電材料を用いることもできる。この陽極３は、スパッタ法やＣＶＤ法等の方法により基板全面に形成される。
【００１４】
機能層６は、陽極３上に積層された正孔注入／輸送層４と、この正孔注入／輸送層４上に隣接して形成された発光層５とからなる。なお、発光層５に隣接してその他の機能を有する層を更に形成してもよい。例えば、発光層５上に電子注入層や電子輸送層を形成することも可能である。
【００１５】
正孔注入／輸送層４は、正孔を発光層５に注入する機能を有するとともに、正孔を正孔注入／輸送層４内部において輸送する機能を有する。この正孔注入／輸送層４の形成材料としては、例えばポリチオフェン誘導体、ポリピロール誘導体など、またはそれらのドーピング体などが用いられる。このような正孔注入／輸送層４を陽極３と発光層５の間に設けることにより、発光層５の発光効率、寿命等の素子特性が向上する。
この正孔注入／輸送層４は、塗布法により陽極３上に形成することができる。具体的には、まず、３，４−ポリエチレンジオキシチオフェン／ポリスチレンスルフォン酸（ＰＥＤＯＴ／ＰＳＳ）［商品名；バイトロン−ｐ（Bytron-p）：バイエル社製］の分散液、すなわち、分散媒としてのポリスチレンスルフォン酸に３，４−ポリエチレンジオキシチオフェンを分散させ、さらにこれを水に分散させた分散液を用意する。そして、この分散液をスピンコーティング法、グラビアコーティング法、リバースロールコーティング法、ロッドコーティング法、マイクログラビアコーティング法、ナイフコーティング法等の方法により基板上に塗布し、乾燥により分散媒を除去する。これにより、陽極３上に正孔注入／輸送層４が形成される。
【００１６】
発光層５には、蛍光あるいは燐光を発光することが可能な公知の発光材料を用いることができる。具体的には、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリジアルキルフルオレン（ＰＤＡＦ）、ポリフルオレンベンゾチアジアゾール（ＰＦＢＴ）、ポリアルキルチオフェン（ＰＡＴ）や、ポリメチルフェニルシラン（ＰＭＰＳ）などのポリシラン系などが好適に用いられる。
また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
【００１７】
なお、「高分子」とは、分子量が数百程度の所謂「低分子」よりも分子量の大きい重合体を意味し、上述の高分子材料には、一般に高分子と呼ばれる分子量１００００以上の重合体の他に、分子量が１００００以下のオリゴマーと呼ばれる低重合体が含まれる。
この発光層５の発光色は特には規定されず、効率等の観点から最適なものを選択することができる。例えば、効率面では緑色の発光材料が最も高いので、これを上記発光層５に用いることで明るい照明が可能となる。
【００１８】
この発光層５は、上記正孔注入／輸送層４と同様に、塗布法により形成することができる。具体的には、まず、上述の発光層形成材料を分散媒中に分散させた分散液を容易する。この際、分散媒としては、下層側の正孔注入／輸送層４を再溶解させないように、シクロへキシルベンゼン、ジハイドロベンゾフラン、トリメチルベンゼン、テトラメチルベンゼン等の非極性溶媒を用いる。そして、この分散液をスピンコート法等の方法により基板上に塗布し、乾燥により分散媒を除去する。これにより、正孔注入／輸送層４上に発光層５が形成される。
【００１９】
陰極７としては、例えばパネル１がトップエミッション型のものでは、バソクプロイン（ＢＣＰ）とセシウム（Ｃｓ）の共蒸着膜等の透明導電材料が用いられる。この場合、さらに導電性を付与するためにＩＴＯを積層するといった構造が好適に採用される。なお、ＢＣＰとＣｓの共蒸着膜の代わりに、Ｃａの超薄膜（例えば、膜厚が５ｎｍ程度の薄膜）を形成し、この上にＩＴＯを積層してもよい。また、ボトムエミッション型のものでは、このような透明導電材料に限らず、陰極７にＡｌ等の光反射性或いは不透明な導電材料を用いることもできる。この陰極７は、スパッタ法やＣＶＤ法等の方法により基板全面に形成される。
【００２０】
なお、陰極７や発光層５への酸素や水分の浸入を防止するために、陰極７の上にはガスバリア層を設けることが望ましい。このガスバリア層としては、例えばＳｉＯ2等の珪素酸化物や、ＳｉＮ等の珪素窒化物、或いはＳｉＯxＮy等の珪素酸窒化物を好適に用いることができる。また、本実施形態では、基板２がプラスチック等の透湿性を有するものであるため、基板２と陽極３との間にもガスバリア層を設けることが望ましい。この場合、陰極側に設けられたガスバリア層と陽極３の下層側に設けられたガスバリア層によってＥＬ発光素子全体を包み込むようにすることで、水分等による素子の劣化を最小限に抑えることができる。このガスバリア層は、例えばスパッタ法やプラズマＣＶＤ法等の方法により形成することができる。
また、パネル１の耐衝撃性や耐磨耗性等を高めるために、このような発光素子の上に、表面保護層を設けることもできる。このような表面保護層は、例えばＥＬ発光素子の形成された基板上にフィルムを貼付する等の方法により形成することができる。
【００２１】
このように本実施形態では、発光素子をプラスチックフィルム等の可撓性の基板上に形成しているため、パネル１を財布１０の形状変化に応じてフレキシブルに変形させることができる。このため、財布１０をズボンのポケットに入れて持ち歩いた場合でも、財布１０を体に十分フィットさせることができ、リジッドな照明装置を収納部内に取り付けた従来のものに比べて、携帯時の違和感を抑えることができる。
また、基板２にプラスチックフィルム等の材料を用いることで、パネル１の薄型・軽量化が可能となり、パネル１自身による重みやかさばり感を排除することができる。また、このようなフィルム材料を用いることでパネル１の耐衝撃性も高まるため、携帯時に収納具を落としたり、ぶつけたりした場合であっても、パネル１が壊れることはない。
【００２２】
また、本実施形態では、発光素子を有機ＥＬ発光素子としたため、低消費電力化が可能となる。また、パネル１が面状光源として構成されているため、収納部内において死角が生じにくくなり、深部の状況まで十分に視認できるようになる。
また、本実施形態では、折り畳み部１０Ａにパネルが掛からないように、折り畳み部１０Ａを挟んでパネル１を複数設けているため、折り曲げによるパネルの破損や劣化等を生じることなく、収納部内全体を均一に照らすことができる。
また、本実施形態では邪魔な配線１４ａ，１４ｂや電源１５等を収納部１１の表地と裏地の間に埋め込んでいるため、収納部内をすっきりさせることができる。また、これにより、配線等の破損も防止できる。
【００２３】
［第２実施形態］
次に、図４を参照しながら、本発明の第２実施形態に係る携帯型収納具について説明する。図４は、本発明の携帯型収納具の一例であるハンドバック２０を示す模式的断面図である。
図４に示すように、本実施形態のハンドバッグ２０には、収納部２１に中仕切り（仕切り部）２２が設けられており、収納部の内部が２つの領域に仕切られている。この中仕切り２２は樹脂等の透明な部材からなり、本実施形態では、この中仕切り２２の中に照明装置としての有機ＥＬパネル８が埋め込まれている。このパネル８は基板の両側から光を出射可能な両面発光型の構造を有し、中仕切り２２によって仕切られた両側の空間を同時に照明できるようになっている。
【００２４】
このパネル８の構造は上記第１実施形態のものと同様であるが、基板及びこの上に形成される発光素子を構成する部材が透光性の部材からなる（薄膜化されて透光性を有する場合を含む）点のみ異なる。
したがって、本実施形態でも上記第１実施形態と同様の効果が得られる。また、本実施形態では、透明な中仕切り２２に両面発光型のパネル８を設けたため、仕切られた各空間毎にパネルを１つずつ設ける必要がなくなり、１つのパネル８で効率的な照明が可能となる。
【００２５】
なお、本発明は上述の実施形態に限定されるものではなく、本発明の趣旨を逸脱しない範囲で種々変形して実施することができる。
例えば、上記第1実施形態では、有機ＥＬパネル１を収納部の片側の面にのみ配置したが、より死角をなくすために、パネル１を収納部の内部全面に取り付けてもよい。この場合、例えば札入れ１１では、パネル１は収納部の手前側の面と奥側の面にそれぞれ２枚ずつ取り付けられることとなる。
また、上記実施形態では発光層に高分子材料を用いたが、この代わりに低分子材料を用いることもできる。
【図面の簡単な説明】
【００２６】
【図１】本発明の第１実施形態に係る携帯型収納具の概略構成を示す斜視図。
【図２】同、携帯型収納具の札入れの構造を示す図。
【図３】同、携帯型収納具に備えられる照明装置の構成を示す概略断面図。
【図４】本発明の第２実施形態に係る携帯型収納具の構成を示す概略断面図。
【符号の説明】
【００２７】
１，８・・・有機ＥＬパネル（照明装置）、２・・・基板、１０，２０・・・携帯型収納具、１０Ａ・・・折り畳み部、１１，１２，１３，２１・・・収納部、１４ａ，１４ｂ・・・配線、１５・・・電源、２２・・・中仕切り（仕切り部）
【図１】
2005095309.tif 000003
【図２】
2005095309.tif 000004
【図３】
2005095309.tif 000005
【図４】
2005095309.tif 000006